(57)【要約】    【課題】無線通信が可能な機器間において呼び出し、通話等の各種動作を行うにあたり送受信されるデータの信頼性を高め、安定かつ確実な無線通信を行う。    【解決手段】廊下灯２ａ、２ａ、・・・との間で無線通信を行うベッド子機１ａ、１ｂ、・・・１ｎ、１ａ、１ｂ、・・・１ｎ、・・・からの呼び出しを、当該廊下灯に伝送線Ｌを経由して有線接続されるナースコール親機３ａにて報知し、この呼び出しに応答した看護師が患者との間で通話を成立させるにあたり、患者による呼び出しを示す呼出信号、通話を成立させる音声信号等のデータ信号を少なくとも２つの異なる周波数或いは少なくとも２つの異なる変調方式で同一のシーケンス番号を付与してベッド子機の子機送信部１０２から廊下灯へ同時に無線送信する。廊下灯では、廊下灯受信部２００にて受信されたデータ信号をシーケンス番号順に組み立て直し、重複した一方のデータ信号を破棄した後、伝送線を経由してナースコール親機に有線送信する。  【選択図】図１
2009135680.tif 000002
【特許請求の範囲】
【請求項１】
病室内の病床に設置され患者が看護師を呼び出して通話を成立させるためのベッド子機（１ａ、１ｂ、・・・１ｎ、１ａ、１ｂ、・・・１ｎ、・・・）と、病室外の廊下等の通路壁面に設置され前記ベッド子機との間で無線通信を行うための廊下灯（２ａ、２ａ、・・・）と、前記べッド子機からの呼び出しが前記廊下灯を経由し伝送線（Ｌ）を介して報知され、当該呼び出しに応答した前記看護師が前記患者との間で通話を成立させるためのナースコール親機（３ａ）とを設け、
前記ベッド子機には、前記患者による呼び出しを示す呼出信号、前記通話を成立させるための音声信号等のデータ信号を少なくとも２つの異なる周波数或いは少なくとも２つの異なる変調方式で同一のシーケンス番号を付与して前記廊下灯へ同時に無線送信するための子機送信部（１０２）を備え、
前記廊下灯には、前記ベッド子機の前記子機送信部から無線送信されてくる前記同一のシーケンス番号が付与されたデータ信号を受信し、前記受信されたデータ信号をシーケンス番号順に組み立て直し、重複した一方のデータ信号を破棄するための廊下灯受信部（２００）を備えたことを特徴とするインターホンシステム。
【請求項２】
病室内の病床に設置され患者が看護師を呼び出して通話を成立させるためのベッド子機（１ａ、１ｂ、・・・１ｎ、１ａ、１ｂ、・・・１ｎ、・・・）と、病室外の廊下等の通路壁面に設置され前記ベッド子機との間で無線通信を行うための廊下灯（２ｂ、２ｂ、・・・）と、前記ベッド子機からの呼び出しが前記廊下灯を経由し無線通信で報知され、当該呼び出しに応答した前記看護師が前記患者との間で通話を成立させるためのナースコール親機（３ｂ）とを設け、
前記ベッド子機には、前記患者による呼び出しを示す呼出信号、前記通話を成立させる音声信号等のデータ信号を少なくとも２つの異なる周波数或いは少なくとも２つの異なる変調方式で同一のシーケンス番号を付与して前記廊下灯へ同時に無線送信するための子機送信部（１０２）を備え、
前記廊下灯には、前記ベッド子機の前記子機送信部から無線送信されてくる前記同一のシーケンス番号が付与されたデータ信号を受信し、前記受信されたデータ信号をシーケンス番号順に組み立て直し、重複した一方のデータ信号が欠落していた場合には同一のシーケンス番号が付与された他方のデータ信号で補完するための廊下灯受信部（２０６）と、前記廊下灯受信部にて補完されたデータ信号を少なくとも２つの異なる周波数或いは少なくとも２つの異なる変調方式で同一のシーケンス番号を付与して前記ナースコール親機へ同時に無線送信するための廊下灯送信部（２０７）とを備え、
前記ナースコール親機には、前記廊下灯の前記廊下灯送信部から無線送信されてくる前記同一のシーケンス番号が付与されたデータ信号を受信し、前記受信されたデータ信号をシーケンス番号順に組み立て直し、重複した一方のデータ信号を破棄するための親機受信部（３０６）を備えたことを特徴とするインターホンシステム。
【請求項３】
住戸外に設置され来訪者が居住者を呼び出して通話を成立せるための玄関子機（４）と、前記住戸内に設置され前記玄関子機からの呼び出しが無線通信で報知され、当該呼び出しに応答した前記居住者が前記来訪者との間で通話を成立させるための居室親機（５）とを設け、
前記玄関子機には、前記来訪者による呼び出しを示す呼出信号、前記通話を成立させる音声信号等のデータ信号を少なくとも２つの異なる周波数或いは少なくとも２つの異なる変調方式で同一のシーケンス番号を付与して前記居室親機へ同時に無線送信するための子機送信部（４０３）を備え、
前記居室親機には、前記玄関子機の前記子機送信部から無線送信されてくる前記同一のシーケンス番号が付与されたデータ信号を受信し、前記受信されたデータ信号をシーケンス番号順に組み立て直し、重複した一方のデータ信号を破棄するための親機受信部（５０４）を備えたことを特徴とするインターホンシステム。
【発明の詳細な説明】
【技術分野】
【０００１】
本発明はインターホンシステムに係り、特に、無線通信が可能な機器間において呼び出し、通話等の各種動作を行うことができるインターホンシステムに関する。
【背景技術】
【０００２】
近年、病院や福祉・介護施設等の大型化に伴い、これら施設の利用者が呼び出し、通話等の各種の動作を行うにあたっては、普及が拡大しつつある無線ＬＡＮの設備を利用して必要とされる機器を動作させるナースコールシステムが開示されている（例えば、特許文献１を参照。）。
【０００３】
【特許文献１】特開２００７−１７４４５１号公報
【発明の開示】
【発明が解決しようとする課題】
【０００４】
背景技術に記載した特許文献１のナースコールシステムによれば、配線の煩雑さや設置工事にかかる費用を低減できるものの、無線ＬＡＮの通信技術を適用するにあたってデータエラー等が発生した場合、安定かつ確実な無線通信の動作を確保できない虞があり、例えば、看護師による迅速な対応が必要とされる患者からの呼出時にデータエラー等が発生すると、患者の生命を危険にさらすことになる難点があった。
【０００５】
また、前述の難点を解消するにあたっては、例えば、特開平９−２７１０５７号公報の再通信方法および携帯電話機のように、通信場所に応じて通信機器である電話機側で網（通信網）の接続状態を変更し、通信状態を確保する技術が開示されている。この技術によれば、回線を切り換えながら通信状態を確認し、最適な品質の回線を選択することができるものの、回線の急変に対応できない虞があり、データエラー等が発生してしまう難点があった。
【０００６】
本発明は、これらの難点を解消するためになされたもので、無線通信が可能な機器間において呼び出し、通話等の各種動作を行うにあたり送受信されるデータ信号の信頼性を高め、安定かつ確実な無線通信を行うことができるインターホンシステムを提供することを目的としている。
【課題を解決するための手段】
【０００７】
前述の目的を達成するため、本発明の第１の態様であるインターホンシステムは、病室内の病床に設置され患者が看護師を呼び出して通話を成立させるためのベッド子機と、病室外の廊下等の通路壁面に設置されベッド子機との間で無線通信を行うための廊下灯と、べッド子機からの呼び出しが廊下灯を経由し伝送線を介して報知され、当該呼び出しに応答した看護師が患者との間で通話を成立させるためのナースコール親機とを設けたものである。ベッド子機には、患者による呼び出しを示す呼出信号、通話を成立させるための音声信号等のデータ信号を少なくとも２つの異なる周波数或いは少なくとも２つの異なる変調方式で同一のシーケンス番号を付与して廊下灯へ同時に無線送信するための子機送信部を備えている。廊下灯には、ベッド子機の子機送信部から無線送信されてくる同一のシーケンス番号が付与されたデータ信号を受信し、受信されたデータ信号をシーケンス番号順に組み立て直し、重複した一方のデータ信号を破棄するための廊下灯受信部を備えている。
【０００８】
また、本発明の第２の態様であるインターホンシステムは、病室内の病床に設置され患者が看護師を呼び出して通話を成立させるためのベッド子機と、病室外の廊下等の通路壁面に設置されベッド子機との間で無線通信を行うための廊下灯と、ベッド子機からの呼び出しが廊下灯を経由し無線通信で報知され、当該呼び出しに応答した看護師が患者との間で通話を成立させるためのナースコール親機とを設けたものである。ベッド子機には、患者による呼び出しを示す呼出信号、通話を成立させる音声信号等のデータ信号を少なくとも２つの異なる周波数或いは少なくとも２つの異なる変調方式で同一のシーケンス番号を付与して廊下灯へ同時に無線送信するための子機送信部を備えている。廊下灯には、ベッド子機の子機送信部から無線送信されてくる同一のシーケンス番号が付与されたデータ信号を受信し、受信されたデータ信号をシーケンス番号順に組み立て直し、重複した一方のデータ信号が欠落していた場合には同一のシーケンス番号が付与された他方のデータ信号で補完するための廊下灯受信部と、廊下灯受信部にて補完されたデータ信号を少なくとも２つの異なる周波数或いは少なくとも２つの異なる変調方式で同一のシーケンス番号を付与してナースコール親機へ同時に無線送信するための廊下灯送信部とを備えている。ナースコール親機には、廊下灯の廊下灯送信部から無線送信されてくる同一のシーケンス番号が付与されたデータ信号を受信し、受信されたデータ信号をシーケンス番号順に組み立て直し、重複した一方のデータ信号を破棄するための親機受信部を備えている。
【０００９】
また、本発明の第３の態様であるインターホンシステムは、住戸外に設置され来訪者が居住者を呼び出して通話を成立せるための玄関子機と、住戸内に設置され玄関子機からの呼び出しが無線通信で報知され、当該呼び出しに応答した居住者が来訪者との間で通話を成立させるための居室親機とを設けたものである。玄関子機には、来訪者による呼び出しを示す呼出信号、通話を成立させる音声信号等のデータ信号を少なくとも２つの異なる周波数或いは少なくとも２つの異なる変調方式で同一のシーケンス番号を付与して居室親機へ同時に無線送信するための子機送信部を備えている。居室親機には、玄関子機の子機送信部から無線送信されてくる同一のシーケンス番号が付与されたデータ信号を受信し、受信されたデータ信号をシーケンス番号順に組み立て直し、重複した一方のデータ信号を破棄するための親機受信部を備えている。
【発明の効果】
【００１０】
本発明のインターホンシステムによれば、廊下灯との間で無線通信を行うベッド子機からの呼び出しを、当該廊下灯に伝送線を経由して有線接続されるナースコール親機にて報知し、当該呼び出しに応答した看護師が患者との間で通話を成立させるにあたり、ベッド子機及び廊下灯の間において送受信されるデータ信号の信頼性が高められ、安定かつ確実な無線通信を行うことができる。
【００１１】
また、本発明のインターホンシステムによれば、廊下灯との間で無線通信を行うベッド子機からの呼び出しを、当該廊下灯との間で無線通信を行うナースコール親機にて報知し、当該呼び出しに応答した看護師が患者との間で通話を成立させるにあたり、ベッド子機及び廊下灯の間、廊下灯及びナースコール親機の間においてそれぞれ送受信されるデータ信号の信頼性が高められ、安定かつ確実な無線通信を行うことができる。
【００１２】
さらに、本発明のインターホンシステムによれば、玄関子機からの呼び出しを、当該玄関子機との間で無線通信を行う居室親機にて報知し、当該呼び出しに応答した居住者が来訪者との間で通話を成立させるにあたり、玄関子機及び居室親機の間において送受信されるデータ信号の信頼性が高められ、安定かつ確実な無線通信を行うことができる。
【発明を実施するための最良の形態】
【００１３】
以下、本発明のインターホンシステムを適用した最良の実施の形態例について、図面を参照して説明する。
【００１４】
図１は、本発明の第１の実施例によるインターホンシステムとして、病院や福祉・介護施等に設置されるナースコールシステムの具体的な構成を示すブロック図である。このナースコールシステムには、複数の病室、例えば、１０１号室、１０２号室、・・・における各病床にそれぞれ設置され、患者が看護師、例えば、ナースセンターに在室中の看護師を呼び出して通話を成立させるためのベッド子機１ａ、１ｂ、・・・１ｎ、１ａ、１ｂ、・・・１ｎ、・・・と、病室外の廊下等の通路壁面に設置され（病室毎の）ベッド子機１ａ、１ｂ、・・・１ｎ、１ａ、１ｂ、・・・１ｎ、・・・との間で無線通信を行うための廊下灯２ａ、２ａ、・・・と、ナースセンターに設置され、伝送線Ｌを経由して有線接続される廊下灯２ａ、２ａ、・・・を経由してベッド子機１ａ、１ｂ、・・・１ｎ、１ａ、１ｂ、・・・１ｎ、・・・からの呼び出しを報知し、当該呼び出しに応答した看護師が患者との間で通話を成立させるためのナースコール親機３ａとが設けられている。なお、ベッド子機１ａ、１ｂ、・・・１ｎ、１ａ、１ｂ、・・・１ｎ、・・・は、前述のような各病床に設置される態様に限定されるものではなく、例えば、トイレや風呂等の所定の場所に設置することもできる。
【００１５】
ベッド子機１ａ、１ｂ、・・・１ｎ、１ａ、１ｂ、・・・１ｎ、・・・はそれぞれ同様な構成で個別の子機番号が割り当てられるものであり、患者が所定の呼出操作を行うための例えば、呼出握りボタンにて構成される子機操作部１００と、患者が看護師との間で通話を成立させるための音声（送話音声、受話音声）を入出力する例えば、マイク及びスピーカにて構成される子機通話部１０１と、子機操作部１００が操作された旨の患者による呼び出しを示す呼出信号、子機通話部１０１に入力された患者の音声（送話音声）を示す音声信号等のデータ信号を少なくとも２つの異なる周波数或いは少なくとも２つの異なる変調方式で同一のシーケンス番号を付与して（自病室の）廊下灯２ａ、２ａ、・・・へ同時に無線送信するための子機送信部１０２と、廊下灯２ａ、２ａ、・・・の後述する廊下灯送信部２０３から無線送信されてくる同一のシーケンス番号が付与されたデータ信号を受信し、受信されたデータ信号をシーケンス番号順に組み立て直し、重複した一方のデータ信号を破棄するための子機受信部１０３とが備えられている。なお、子機操作部１００は、前述のようなベッド子機１ａ、１ｂ、・・・１ｎ、１ａ、１ｂ、・・・１ｎ、・・・に備えられる態様に限定されるものではなく、例えば、当該子機から独立させて有線接続又は無線接続で設けることもできる。この態様によれば、病床に仮固定される子機操作部１００がベッド子機１ａ、１ｂ、・・・１ｎ、１ａ、１ｂ、・・・１ｎ、・・・と有線通信又は無線通信を行うことにより、子機操作部１００を病床とともに移動することができる。
【００１６】
廊下灯２ａ、２ａ、・・・はそれぞれ同様な構成で個別の廊下灯番号が割り当てられるものであり、ベッド子機１ａ、１ｂ、・・・１ｎ、１ａ、１ｂ、・・・１ｎ、・・・の子機送信部１０２から無線送信されてくる同一のシーケンス番号が付与されたデータ信号を受信し、受信されたデータ信号をシーケンス番号順に組み立て直し、重複した一方のデータ信号を破棄するための廊下灯受信部（以下、子機側廊下灯受信部という。）２００と、子機側廊下灯受信部２００にて受信されたデータ信号を、伝送線Ｌを経由してナースコール親機３ａへ有線送信するための廊下灯送信部（以下、親機側廊下灯送信部という。）２０１と、ナースコール親機３ａの後述する親機送信部３０４から伝送線Ｌを経由して有線送信されてくる看護師による応答を示す応答信号、成立中の通話の終了を示す終話信号、看護師の音声（送話音声）を示す音声信号等のデータ信号を受信するための廊下灯受信部（以下、親機側廊下灯受信部という。）２０２と、親機側廊下灯受信部２０２にて受信されたデータ信号を、少なくとも２つの異なる周波数或いは少なくとも２つの異なる変調方式で同一のシーケンス番号を付与して（自病室の）ベッド子機１ａ、１ｂ、・・・１ｎ、１ａ、１ｂ、・・・１ｎ、・・・へ同時に無線送信するための廊下灯送信部（以下、子機側廊下灯送信部という。）２０３と、自病室の患者による呼び出しを示す呼出表示、通話の成立中を示す話中表示をそれぞれ、所定の文字メッセージや絵データ等の表示、光の点滅又は点灯で行うための例えば、ＬＣＤ、ＰＤＰ、有機ＥＬディスプレイ、ＬＥＤ等にて構成される廊下灯表示部２０４と、当該廊下灯の構成各部を制御するための廊下灯制御部２０５とが備えられている。
【００１７】
ナースコール親機３ａには、患者からの呼び出しを確認した看護師が所定の応答操作を行って通話を成立させるとともに、成立中の通話を終了させるための所定の終話操作が行われる例えば、通話ボタンにて構成される親機操作部３００と、患者からの呼び出しを示す呼出表示、通話の成立中を示す話中表示をそれぞれ、所定の文字メッセージや絵データ等の表示、光の点滅又は点灯で行うための例えば、ＬＣＤ、ＰＤＰ、有機ＥＬディスプレイ、ＬＥＤ等にて構成される親機表示部３０１と、看護師が患者との間で通話を成立させるための音声（送話音声、受話音声）を入出力する例えば、マイク及びスピーカにて構成される親機通話部３０２と、廊下灯２ａ、２ａ、・・・の親機側廊下灯送信部２０１から伝送線Ｌを経由して有線送信されてくるデータ信号を受信するための親機受信部３０３と、看護師による応答を示す応答信号、成立中の通話の終了を示す終話信号、親機通話部３０２に入力された看護師による音声（送話音声）を示す音声信号等のデータ信号を、伝送線Ｌを経由して廊下灯２ａ、２ａ、・・・へ有線送信するための親機送信部３０４と、当該ナースコール親機の構成各部を制御するための親機制御部３０５とが備えられている。なお、親機通話部３０２は、前述の通話機能のみならず、例えば、患者からの呼び出しを示す呼出音や音声メッセージ等を出力することができる。
【００１８】
このように構成された本発明の第１の実施例によるインターホンシステムであるナースコールシステムにおいて、以下、具体的な動作について説明する。
【００１９】
図１に示すベッド子機１ａ、１ｂ、・・・１ｎ、１ａ、１ｂ、・・・１ｎ、・・・のうち、特定の当該ベッド子機である例えば、１０１号室の病床に設置されたベッド子機１ａの子機操作部１００にて患者が所定の呼出操作を行うと、この操作を検出した子機送信部１０２は、自子機の子機番号が付与された患者による呼び出しを示す呼出信号を少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、１０１号室外の廊下等の通路壁面に設置された廊下灯２ａの子機側廊下灯受信部２００へ同時に無線送信することができる。
【００２０】
１０１号室外の廊下等の通路壁面に設置された廊下灯２ａにおいて、子機側廊下灯受信部２００は、ベッド子機１ａの子機送信部１０２から無線送信されてきた呼出信号を受信し、受信された呼出信号をシーケンス番号順に組み立て直し、重複した一方の呼出信号を破棄することにより、安定かつ確実な呼出信号の受信が可能となる。また、廊下灯制御部２０５は、子機側廊下灯受信部２００にて受信された呼出信号に付与されている子機番号をもとにベッド子機１ａが設置された病床の患者による呼び出しがあることを検出し、その旨の呼出表示を廊下灯表示部２０４にて行うことができる。さらに、親機側廊下灯送信部２０１は、親機制御部２０５にて呼出検出された呼出信号に自廊下灯の廊下灯番号を付与して、伝送線Ｌ、ナースコール親機３ａの親機受信部３０３を経由して親機制御部３０５へ（安定かつ確実に）有線送信することができる。
【００２１】
ナースコール親機３ａの親機制御部３０５は、受信した呼出信号に付与されている子機番号及び廊下灯番号をもとに１０１号室のベッド子機１ａが設置された病床の患者による呼び出しがあることを検出し、その旨の呼出音や音声メッセージ等を親機通話部３０２から出力させるとともに、同様な旨の呼出表示を親機表示部３０１にて行うことにより、ナースセンター内に在室中の看護師に対して呼出報知することができる。
【００２２】
次に、前述の呼出報知を確認したナースセンター内に在室中の看護師がナースコール親機３ａの親機操作部３００にて所定の応答操作を行うと、この操作を検出した親機制御部３０５の制御により、看護師が使用する親機通話部３０２と親機受信部３０３及び親機送信部３０４をそれぞれ経由して伝送線Ｌとの間の通話ラインが形成されるとともに、看護師による応答を示す応答信号が生成される。この応答信号は、親機制御部３０５から親機送信部３０４、伝送線Ｌ、１０１号室外の廊下等の通路壁面に設置された廊下灯２ａの親機側廊下灯受信部２０２を経由して廊下灯制御部２０５へ（安定かつ確実に）有線送信される。
【００２３】
１０１号室外の廊下等の通路壁面に設置された廊下灯２ａにおいて、ナースコール親機３ａからの応答信号を受信した廊下灯制御部２０５は、親機側廊下灯受信部２０２から当該廊下灯制御部、子機側廊下灯送信部２０３、呼出元であるベッド子機１ａの子機受信部１０３を経由して患者が使用する子機通話部１０１までの通話ラインと、患者が使用する子機通話部１０１から子機送信部１０２、子機側廊下灯受信部２００、当該廊下灯制御部を経由して親機側廊下灯送信部２０１までの通話ラインとをそれぞれ形成するとともに、ベッド子機１ａが設置された病床の患者とナースセンター内に在室中の看護師との間で通話が成立中であることを示す話中表示を廊下灯表示部２０４にて行うことができる。
【００２４】
ここで、ナースセンター内に在室中である看護師の音声（送話音声）がナースコール親機３ａの親機通話部３０２に入力されると、親機送信部３０４は、看護師の音声（送話音声）を示す音声信号を、伝送線Ｌ、１０１号室外の廊下等の通路壁面に設置された廊下灯２ａの親機側廊下灯受信部２０２、廊下灯制御部２０５を経由して子機側廊下灯送信部２０３へ（安定かつ確実に）有線送信することができる。この子機側廊下灯送信部２０３は、受信した音声信号を、少なくとも２つの異なる周波数、例えば、２．４ＧＨｚ及び４００ＭＨｚ、或いは少なくとも２つの異なる変調方式、例えば、ＡＭ変調及びＦＭ復調で同一のシーケンス番号を付与して、呼出元であるベッド子機１ａの子機受信部１０３へ同時に無線送信することができる。
【００２５】
呼出元であるベッド子機１ａの子機受信部１０３は、１０１号室外の廊下等の通路壁面に設置された廊下灯２ａの子機側廊下灯送信部２０３から無線送信されてきた音声信号を受信し、受信された音声信号をシーケンス番号順に組み立て直し、重複した一方の音声信号を破棄することにより、看護師の音声（送話音声）を示す音声信号を子機通話部１０１へ安定かつ確実に送出することができ、ゆえに、看護師の音声（送話音声）が信頼性の高い受話音として子機通話部１０１から出力されることになる。
【００２６】
一方、呼出元である患者の音声（送話音声）がベッド子機１ａの子機通話部１０１に入力されると、子機送信部１０２は、患者の音声（送話音声）を示す音声信号を少なくとも２つの異なる周波数、例えば、２．４ＧＨｚ及び４００ＭＨｚ、或いは少なくとも２つの異なる変調方式、例えば、ＡＭ変調及びＦＭ復調で同一のシーケンス番号を付与して、１０１号室外の廊下等の通路壁面に設置された廊下灯２ａの子機側廊下灯受信部２００へ同時に無線送信することができる。
【００２７】
１０１号室外の廊下等の通路壁面に設置された廊下灯２ａにおいて、子機側廊下灯受信部２００は、ベッド子機１ａの子機送信部１０２から無線送信されてきた音声信号を受信し、受信された音声信号をシーケンス番号順に組み立て直し、重複した一方の音声信号を破棄した後、廊下灯制御部２０５、親機側廊下灯送信部２０１、伝送線Ｌ、ナースコール親機３ａの親機受信部３０３を経由して親機通話部３０２へ（安定かつ確実に）有線送信することができ、ゆえに、患者の音声（送話音声）が信頼性の高い受話音として親機通話部３０２から出力されることになる。
【００２８】
また、前述のような通話の成立中において、ナースセンター内に在室中の看護師がナースコール親機３ａの親機操作部３００にて所定の終話操作を行うと、この操作を検出した親機制御部３０５の制御により前述の通話ラインが遮断され、通話を終了させることができる。
【００２９】
前述までの説明から明らかなように、本発明の第１の実施例によるインターホンシステムであるナースコールシステムにおいては、廊下灯２ａ、２ａ、・・・との間で無線通信を行うベッド子機１ａ、１ｂ、・・・１ｎ、１ａ、１ｂ、・・・１ｎ、・・・からの呼び出しを、当該廊下灯に伝送線Ｌを経由して有線接続されるナースコール親機３ａにて報知し、当該呼び出しに応答した看護師が患者との間で通話を成立させるにあたり、無線通信が可能なベッド子機１ａ、１ｂ、・・・１ｎ、１ａ、１ｂ、・・・１ｎ、・・・及び廊下灯２ａ、２ａ、・・・の間において送受信されるデータ信号として、呼出信号、音声信号の信頼性が高められ、安定かつ確実な無線通信を行うことができる。
【００３０】
なお、本発明の第１の実施例によるインターホンシステムであるナースコールシステムにおいては、ベッド子機１ａ、１ｂ、・・・１ｎ、１ａ、１ｂ、・・・１ｎ、・・・及び廊下灯２ａ、２ａ、・・・の間で安定かつ確実な無線通信を行うにあたり信頼性が高められるデータ信号として、ベッド子機１ａ、１ｂ、・・・１ｎ、１ａ、１ｂ、・・・１ｎ、・・・の子機操作部１００の操作を検出して患者による呼び出しを示す呼出信号、患者により子機通話部１０１に入力された通話を成立させるための音声信号と、看護師によりナースコール親機３ａの親機通話部３０２に入力された通話を成立させるための音声信号とを適用したが、この態様に限定されるものではない。例えば、ベッド子機１ａ、１ｂ、・・・１ｎ、１ａ、１ｂ、・・・１ｎ、・・・の子機送信部１０２から廊下灯２ａ、２ａ、・・・の子機側廊下灯受信部２００へ無線送信されるデータ信号である呼出信号、音声信号にのみ当該第１の実施例における信号処理を行うこともできる。
【００３１】
また、本発明の第１の実施例によるインターホンシステムであるナースコールシステムにおいては、ベッド子機１ａ、１ｂ、・・・１ｎ、１ａ、１ｂ、・・・１ｎ、・・・及び廊下灯２ａ、２ａ、・・・の間で安定かつ確実な無線通信を行うにあたり当該ベッド子機から無線送信されるデータ信号として、ベッド子機１ａ、１ｂ、・・・１ｎ、１ａ、１ｂ、・・・１ｎ、・・・の子機操作部１００の操作を検出して患者による呼び出しを示す呼出信号、患者により子機通話部１０１に入力された通話を成立させるための音声信号を適用したが、これらの当該データ信号に限定されるものではない。例えば、ベッド子機１ａ、１ｂ、・・・１ｎ、１ａ、１ｂ、・・・１ｎ、・・・の機器内に備えられる又は当該ベッド子機と外部接続可能なカメラを設けることもでき、この態様によれば、カメラにて撮像される映像信号を、安定かつ確実に廊下灯２ａ、２ａ、・・・へ無線通信することができる。
【００３２】
次に、本発明の第２の実施例によるインターホンシステムとして、前述の第１の実施例と同様、病院や福祉・介護施設等に設置されるナースコールシステムについて、具体的な構成を示す図２のブロック図を参照して説明する。なお、第２の実施例において、第１の実施例と同一の機能・作用を有する構成部については同一の名称・符号を付与するものとし、説明は省略するものとする。
【００３３】
図２に示すナースコールシステムには、複数の病室、例えば、１０１号室、１０２号室、・・・における各病床にそれぞれ設置され、患者が看護師、例えば、ナースセンターに在室中の看護師を呼び出して通話を成立させるためのベッド子機１ａ、１ｂ、・・・１ｎ、１ａ、１ｂ、・・・１ｎ、・・・と、病室外の廊下等の通路壁面に設置され病室毎のベッド子機１ａ、１ｂ、・・・１ｎ、１ａ、１ｂ、・・・１ｎ、・・・との間で無線通信を行うための廊下灯２ｂ、２ｂ、・・・と、ナースセンターに設置され廊下灯２ｂ、２ｂ、・・・との間で無線通信を行い、当該廊下灯を経由してベッド子機１ａ、１ｂ、・・・１ｎ、１ａ、１ｂ、・・・１ｎ、・・・からの呼び出しを報知し、当該呼び出しに応答した看護師が患者との間で通話を成立させるためのナースコール親機３ｂとが設けられている。
【００３４】
廊下灯２ｂ、２ｂ、・・・はそれぞれ同様な構成で個別の廊下灯番号が割り当てられるものであり、前述の廊下灯表示部２０４と、ベッド子機１ａ、１ｂ、・・・１ｎ、１ａ、１ｂ、・・・１ｎ、・・・の子機送信部１０２から無線送信されてくる同一のシーケンス番号が付与されたデータ信号を受信し、受信されたデータ信号をシーケンス番号順に組み立て直し、重複した一方のデータ信号が欠落していた場合には同一のシーケンス番号が付与された他方のデータ信号で補完するための子機側廊下灯受信部２０６と、子機側廊下灯受信部２０６にて補完されたデータ信号を少なくとも２つの異なる周波数或いは少なくとも２つの異なる変調方式で同一のシーケンス番号を付与してナースコール親機３ｂへ同時に無線送信するための親機側廊下灯送信部２０７と、ナースコール親機３ｂの後述する親機送信部３０７から無線送信されてくる看護師による応答を示す応答信号、成立中の通話の終了を示す終話信号、看護師の音声（送話音声）を示す音声信号等のデータ信号をシーケンス番号順に組み立て直し、重複した一方のデータ信号が欠落していた場合には同一のシーケンス番号が付与された他方のデータ信号で補完するための親機側廊下灯受信部２０８と、親機側廊下灯受信部２０８にて補完された応答信号、終話信号、音声信号等のデータ信号を少なくとも２つの異なる周波数或いは少なくとも２つの異なる変調方式で同一のシーケンス番号を付与して（自病室の）ベッド子機１ａ、１ｂ、・・・１ｎ、１ａ、１ｂ、・・・１ｎ、・・・へ同時に無線送信するための子機側廊下灯送信部２０９と、当該廊下灯の構成各部を制御するための廊下灯制御部２１０とが備えられている。
【００３５】
ナースコール親機３ｂには、前述の親機操作部３００、親機表示部３０１及び親機通話部３０２と、廊下灯２ｂ、２ｂ、・・・の親機側廊下灯送信部２０８から無線送信されてくる同一のシーケンス番号が付与されたデータ信号を受信し、受信されたデータ信号をシーケンス番号順に組み立て直し、重複した一方のデータ信号を破棄するための親機受信部３０６と、看護師による応答を示す応答信号、成立中の通話の終了を示す終話信号、親機通話部３０２に入力された看護師による音声（送話音声）を示す音声信号等のデータ信号を少なくとも２つの異なる周波数或いは少なくとも２つの異なる変調方式で同一のシーケンス番号を付与して廊下灯２ｂ、２ｂ、・・・へ同時に無線送信するための親機送信部３０７と、当該ナースコール親機の構成各部を制御するための親機制御部３０８とが備えられている。
【００３６】
このように構成された本発明の第２の実施例によるインターホンシステムであるナースコールシステムにおいて、以下、具体的な動作について説明する。
【００３７】
図２に示すベッド子機１ａ、１ｂ、・・・１ｎ、１ａ、１ｂ、・・・１ｎ、・・・のうち、特定の当該ベッド子機である例えば、１０１号室の病床に設置されたベッド子機１ａの子機操作部１００にて患者が所定の呼出操作を行うと、この操作を検出した子機送信部１０２は、自子機の子機番号が付与された患者による呼び出しを示す呼出信号を少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、１０１号室外の廊下等の通路壁面に設置された廊下灯２ｂの子機側廊下灯受信部２０６へ同時に無線送信することができる。
【００３８】
１０１号室外の廊下等の通路壁面に設置された廊下灯２ｂにおいて、子機側廊下灯受信部２０６は、ベッド子機１ａの子機送信部１０２から無線送信されてきた呼出信号を受信し、受信された呼出信号をシーケンス番号順に組み立て直し、重複した一方の呼出信号が欠落していた場合には同一のシーケンス番号が付与された他方の呼出信号で補完することにより、安定かつ確実な呼出信号の受信が可能となる。また、廊下灯制御部２１０は、子機側廊下灯受信部２０６にて補完された呼出信号に付与されている子機番号をもとにベッド子機１ａが設置された患者による呼び出しがあることを検出し、その旨の呼出表示を廊下灯表示部２０４にて行うことができる。さらに、親機側廊下灯送信部２０７は、廊下灯制御部２１０にて呼出検出された呼出信号に自廊下灯の廊下灯番号を付与して、少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、ナースコール親機３ｂの親機受信部３０６へ同時に無線送信することができる。
【００３９】
ナースコール親機３ｂの親機受信部３０６は、１０１号室外の廊下等の通路壁面に設置された廊下灯２ｂの親機側廊下灯送信部２０７から無線送信されてきた呼出信号を受信し、受信された呼出信号をシーケンス番号順に組み立て直し、重複した一方の呼出信号を破棄して親機制御部３０８へ送出することができる。また、親機制御部３０８は、安定かつ確実に受信した呼出信号に付与されている子機番号及び廊下灯番号をもとに１０１号室のベッド子機１ａが設置された病床の患者による呼び出しがあることを検出し、その旨の呼出音や音声メッセージ等を親機通話部３０２から出力させるとともに、同様な旨の呼出表示を親機表示部３０１にて行うことにより、ナースセンター内に在室中の看護師に対して呼出報知することができる。
【００４０】
次に、前述の呼出報知を確認したナースセンター内に在室中の看護師がナースコール親機３ｂの親機操作部３００にて所定の応答操作を行うと、この操作を検出した親機制御部３０８の制御により、看護師が使用する親機通話部３０２と親機受信部３０６及び親機送信部３０７をそれぞれ経由して、１０１号室外の廊下等の通路壁面に設置された廊下灯２ｂの親機側廊下灯受信部２０８及び親機側廊下灯送信部２０７との通話ラインが形成されるとともに、看護師による応答を示す応答信号が生成される。ここで、親機送信部３０７は、親機制御部３０８にて生成された応答信号を少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、１０１号室外の廊下等の通路壁面に設置された廊下灯２ｂの親機側廊下灯受信部２０８へ同時に無線送信することができる。
【００４１】
１０１号室外の廊下等の通路壁面に設置された廊下灯２ｂにおいて、親機側廊下灯受信部２０８は、ナースコール親機３ｂの親機送信部３０７から無線送信されてきた応答信号を受信し、受信された応答信号をシーケンス番号順に組み立て直し、重複した一方の応答信号が欠落していた場合には同一のシーケンス番号が付与された他方の応答信号で補完することにより、安定かつ確実な応答信号の受信が可能となる。また、廊下灯制御部２１０は、親機側廊下灯受信部２０８にて補完された応答信号をもとに看護師による応答があったことを検出し、親機側廊下灯受信部２０８から当該廊下灯制御部、子機側廊下灯送信部２０９、呼出元であるベッド子機１ａの子機受信部１０３を経由して患者が使用する子機通話部１０１までの通話ラインと、患者が使用するベッド子機１ａの子機通話部１０１から子機送信部１０２、子機側廊下灯受信部２０６、当該廊下灯制御部を経由して親機側廊下灯送信部２０７までの通話ラインとをそれぞれ形成するとともに、ベッド子機１ａが設置された病床の患者とナースセンター内に在室中の看護師との間で通話が成立中であることを示す話中表示を廊下灯表示部２０４にて行うことができる。
【００４２】
ここで、ナースセンター内に在室中である看護師の音声（送話音声）がナースコール親機３ｂの親機通話部３０２に入力されると、親機送信部３０７は、看護師の音声（送話音声）を示す音声信号を少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、１０１号室外の廊下等の通路壁面に設置された廊下灯２ｂの親機側廊下灯受信部２０８へ同時に無線送信することができる。
【００４３】
１０１号室外の廊下等の通路壁面に設置された廊下灯２ｂにおいて、親機側廊下灯受信部２０８は、ナースコール親機３ｂの親機送信部３０７から無線送信されてきた音声信号を受信し、受信された音声信号をシーケンス番号順に組み立て直し、重複した一方の音声信号が欠落していた場合には同一のシーケンス番号が付与された他方の音声信号で補完することにより、安定かつ確実な音声信号の受信が可能となり、その後、廊下灯制御部２１０を経由して子機側廊下灯送信部２０９へ送出することができる。また、子機側廊下灯送信部２０９は、親機側廊下灯受信部２０８にて補完された音声信号を、少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、呼出元であるベッド子機１ａの子機受信部１０３へ同時に無線送信することができる。
【００４４】
呼出元であるベッド子機１ａの子機受信部１０３は、１０１号室外の廊下等の通路壁面に設置された廊下灯２ｂの子機側廊下灯送信部２０９から無線送信されてきた音声信号を受信し、受信された音声信号をシーケンス番号順に組み立て直し、重複した一方の音声信号を破棄することにより、看護師の音声（送話音声）を示す音声信号を安定かつ確実に子機通話部１０１へ送出することができ、ゆえに、看護師の音声（送話音声）が信頼性の高い受話音として子機通話部１０１から出力されることになる。
【００４５】
一方、呼出元である患者の音声（送話音声）がベッド子機１ａの子機通話部１０１に入力されると、子機送信部１０２は、患者の音声（送話音声）を示す音声信号を少なくとも２つの異なる周波数、例えば、２．４ＧＨｚ及び４００ＭＨｚ、或いは少なくとも２つの異なる変調方式、例えば、ＡＭ変調及びＦＭ復調で同一のシーケンス番号を付与して、１０１号室外の廊下等の通路壁面に設置された廊下灯２ｂの子機側廊下灯受信部２０６へ同時に無線送信することができる。
【００４６】
１０１号室外の廊下等の通路壁面に設置された廊下灯２ｂにおいて、子機側廊下灯受信部２０６は、ベッド子機１ａの子機送信部１０２から無線送信されてきた音声信号を受信し、受信された音声信号をシーケンス番号順に組み立て直し、重複した一方の音声信号が欠落していた場合には同一のシーケンス番号が付与された他方の音声信号で補完することにより、安定かつ確実な音声信号の受信が可能となり、その後、廊下灯制御部２１０を経由して親機側廊下灯送信部２０７へ送出することができる。また、親機側廊下灯送信部２０７は、子機側廊下灯受信部２０６にて補完された音声信号を、少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して、ナースコール親機３ｂの親機受信部３０６へ同時に無線送信することができる。
【００４７】
ナースコール親機３ｂの親機受信部３０６は、１０１号室外の廊下等の通路壁面に設置された廊下灯２ｂの親機側廊下灯送信部２０７から無線送信されてきた音声信号を受信し、受信された音声信号をシーケンス番号順に組み立て直し、重複した一方の音声信号を破棄した後、親機通話部３０２へ安定かつ確実に送出することができ、ゆえに、患者の音声（送話音声）が信頼性の高い受話音として親機通話部３０２から出力されることになる。
【００４８】
また、前述のような通話の成立中において、ナースセンター内に在室中の看護師がナースコール親機３ｂの親機操作部３００にて所定の終話操作を行うと、この操作を検出した親機制御部３０８の制御により前述の通話ラインが遮断され、通話を終了させることができる。
【００４９】
前述までの説明から明らかなように、本発明の第２の実施例によるインターホンシステムであるナースコールシステムにおいては、廊下灯２ｂ、２ｂ、・・・との間で無線通信を行うベッド子機１ａ、１ｂ、・・・１ｎ、１ａ、１ｂ、・・・１ｎ、・・・からの呼び出しを、当該廊下灯との間で無線通信を行うナースコール親機３ｂにて報知し、当該呼び出しに応答した看護師が患者との間で通話を成立させるにあたり、無線通信が可能なベッド子機１ａ、１ｂ、・・・１ｎ、１ａ、１ｂ、・・・１ｎ、・・・及び廊下灯２ｂ、２ｂ、・・・の間、廊下灯２ｂ、２ｂ、・・・及びナースコール親機３ｂの間においてそれぞれ送受信されるデータ信号として、呼出信号、応答信号及び音声信号の信頼性が高められ、安定かつ確実な無線通信を行うことができる。
【００５０】
なお、本発明の第２の実施例によるインターホンシステムであるナースコールシステムにおいては、ベッド子機１ａ、１ｂ、・・・１ｎ、１ａ、１ｂ、・・・１ｎ、・・・及び廊下灯２ｂ、２ｂ、・・・の間、廊下灯２ｂ、２ｂ、・・・及びナースコール親機３ｂの間でそれぞれ安定かつ確実な無線通信を行うにあたり信頼性が高められるデータ信号として、ベッド子機１ａ、１ｂ、・・・１ｎ、１ａ、１ｂ、・・・１ｎ、・・・の子機操作部１００の操作を検出して患者による呼び出しを示す呼出信号、患者により子機通話部１０１に入力された通話を成立させるための音声信号と、ナースコール親機３ｂの親機操作部３００の操作を検出して看護師による応答（又は終話）を示す応答信号（又は終話信号）、居住者によりナースコール親機３ｂの親機通話部３０２に入力された通話を成立させるための音声信号とを適用したが、この態様に限定されるものではない。例えば、ベッド子機１ａ、１ｂ、・・・１ｎ、１ａ、１ｂ、・・・１ｎ、・・・の子機送信部１０２から廊下灯２ｂ、２ｂ、・・・の子機側廊下灯受信部２０６へ無線送信されるデータ信号である呼出信号、音声信号と、廊下灯２ｂ、２ｂ、・・・の親機側廊下灯送信部２０７からナースコール親機３ｂの親機受信部３０６へ無線送信されるデータ信号である呼出信号、音声信号とにのみ当該第２の実施例における信号処理を行うこともできる。
【００５１】
また、本発明の第２の実施例によるインターホンシステムであるナースコールシステムにおいては、ベッド子機１ａ、１ｂ、・・・１ｎ、１ａ、１ｂ、・・・１ｎ、・・・及び廊下灯２ａ、２ａ、・・・の間で安定かつ確実な無線通信を行うにあたり当該ベッド子機から無線送信されるデータ信号として、前述の第１の実施例と同様、ベッド子機１ａ、１ｂ、・・・１ｎ、１ａ、１ｂ、・・・１ｎ、・・・の子機操作部１００の操作を検出して患者による呼び出しを示す呼出信号、患者により子機通話部１０１に入力された通話を成立させるための音声信号を適用したが、これらの当該データ信号に限定されるものではない。例えば、ベッド子機１ａ、１ｂ、・・・１ｎ、１ａ、１ｂ、・・・１ｎ、・・・の機器内に備えられる又は当該ベッド子機と外部接続可能なカメラを設けることもでき、この態様によれば、カメラにて撮像される映像信号を、安定かつ確実に廊下灯２ａ、２ａ、・・・へ無線通信することができる。
【００５２】
次に、本発明の第３の実施例によるインターホンシステムとして、戸建住宅やマンション等の集合住宅に設置されるインターホンシステムについて、具体的な構成を示す図３のブロック図を参照して説明する。
【００５３】
図３に示すインターホンシステムは、戸建住宅における住戸外、例えば、住戸玄関に設置され来訪者が居住者を呼び出して通話を成立させるための玄関子機４と、住戸内に設置され玄関子機４からの呼び出しが無線通信で報知され、当該呼び出しに応答した居住者が来訪者との間で通話を成立させるための居室親機５とが設けられている。
【００５４】
玄関子機４には、来訪者が所定の呼出操作を行うための例えば、呼出ボタンにて構成される子機操作部４００と、来訪者が居住者との間で通話を成立させるための音声（送話音声、受話音声）を入出力する例えば、マイク及びスピーカにて構成される子機通話部４０１と、来訪者や住戸玄関の周囲近傍の映像を撮像するための例えば、ＣＣＤ、ＣＭＯＳ等の各種の撮像素子にて構成される映像撮像部４０２と、子機操作部４００の操作を検出して来訪者による呼び出しを示す呼出信号、来訪者により子機通話部４０１に入力された通話を成立させるための音声信号、映像撮像部４０２にて撮像された映像を示す映像信号等のデータ信号を少なくとも２つの異なる周波数或いは少なくとも２つの異なる変調方式で同一のシーケンス番号を付与して居室親機５へ同時に無線送信するための子機送信部４０３と、居室親機５の後述する親機送信部５０３から無線送信されてくる同一のシーケンス番号が付与されたデータ信号を受信し、受信されたデータ信号をシーケンス番号順に組み立て直し、重複した一方のデータ信号を破棄するための子機受信部４０４とが備えられている。
【００５５】
居室親機５には、来訪者からの呼び出しを確認した居住者が所定の応答操作を行って通話を成立させるとともに、成立中の通話を終了させるための所定の終話操作が行われる例えば、通話ボタンにて構成される親機操作部５００と、来訪者が居住者との間で通話を成立させるための音声（送話音声、受話音声）を入出力する例えば、マイク及びスピーカにて構成される親機通話部５０１と、玄関子機４の映像撮像部４０２にて撮像された映像を出画するとともに、来訪者からの呼び出しを示す呼出表示、或いは通話の成立中を示す話中表示を、所定の文字メッセージや絵データ等の表示、光の点滅又は点灯で行うための例えば、ＬＣＤ、ＰＤＰ、有機ＥＬディスプレイ、ＬＥＤ等にて構成される表示部５０２と、居住者により親機通話部５０１に入力された通話を成立させるための音声信号であるデータ信号を少なくとも２つの異なる周波数或いは少なくとも２つの異なる変調方式で同一のシーケンス番号を付与して玄関子機４へ同時に無線送信するための親機送信部５０３と、玄関子機４の子機送信部４０３から無線送信されてくる同一のシーケンス番号が付与されたデータ信号を受信し、受信されたデータ信号をシーケンス番号順に組み立て直し、重複した一方のデータ信号を破棄するための親機受信部５０４と、当該居室親機の構成各部を制御するための制御部５０５とが備えられている。
【００５６】
このように構成された本発明の第３の実施例によるインターホンシステムにおいて、以下、具体的な動作について説明する。
【００５７】
図３に示す玄関子機４の子機操作部４００にて来訪者が所定の呼出操作を行うと、この操作を検出した子機送信部４０３は、例えば、時系列で信号処理される来訪者による呼び出しを示す呼出信号、映像撮像部４０２にて撮像された映像を示す映像信号をそれぞれ少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して居室親機５の親機受信部５０４へ同時に無線送信することができる。
【００５８】
居室親機５の親機受信部５０４は、玄関子機４の子機送信部４０３から無線送信されてきた呼出信号、映像信号をそれぞれ受信し、受信された呼出信号、映像信号をシーケンス番号順に組み立て直し、重複した一方の呼出信号、一方の映像信号を破棄することにより、来訪者による呼び出しを示す呼出信号を安定かつ確実に制御部５０５へ送出することができるとともに、玄関子機４の映像撮像部４０２にて撮像された映像を示す映像信号を安定かつ確実に表示部５０２へ送出することができる。ここで、制御部５０５は、呼出信号を受信すると、来訪者による呼び出しがあることを検出し、その旨の呼出音や音声メッセージ等を親機通話部５０１から出力させるとともに、同様な旨の呼出表示を表示部５０２にて行い、居住者に対して呼出報知し、さらには、玄関子機４の映像撮像部４０２にて撮像された来訪者や住戸玄関の周囲近傍の映像を信頼性の高い当該映像で表示部５０２に出画させることができる。
【００５９】
次に、前述の呼出報知を確認した居住者が居室親機５の親機操作部５００にて所定の応答操作を行うと、この操作を検出した制御部５０５の制御により、居住者が使用する親機通話部５０１から親機送信部５０３、玄関子機４の子機受信部４０４を経由して来訪者が使用する子機通話部４０１までの通話ラインと、来訪者が使用する子機通話部４０１から子機送信部４０３、（居室親機２の）親機受信部５０４を経由して居住者が使用する親機通話部５０１までの通話ラインとがそれぞれ形成される。
【００６０】
ここで、居住者の音声（送話音声）が居室親機５の親機通話部５０１に入力されると、親機送信部５０３は、居住者の音声（送話音声）を示す音声信号を少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して玄関子機４の子機受信部４０４へ同時に無線送信することができる。
【００６１】
玄関子機４の子機受信部４０４は、居室親機５の親機送信部５０３から無線送信されてきた音声信号を受信し、受信された音声信号をシーケンス番号順に組み立て直し、重複した一方の音声信号を破棄することにより、居住者の音声（送話音声）を示す音声信号を安定かつ確実に子機通話部４０１へ送出することができ、ゆえに、居住者の音声（送話音声）が信頼性の高い受話音として子機通話部４０１から出力されることになる。
【００６２】
一方、来訪者の音声（送話音声）が玄関子機４の子機通話部４０１に入力されると、子機送信部４０３は、来訪者の音声（送話音声）を示す音声信号（及び映像撮像部４０２にて撮像された映像を示す映像信号）を少なくとも２つの異なる周波数、例えば、２．４ＧＨｚ及び４００ＭＨｚ、或いは少なくとも２つの異なる変調方式、例えば、ＡＭ変調及びＦＭ変調で同一のシーケンス番号を付与して居室親機５の親機受信部５０４へ同時に無線送信することができる。
【００６３】
居室親機５の親機受信部５０４は、玄関子機４の子機送信部４０３から無線送信されてきた音声信号（及び映像信号）を受信し、受信された音声信号（及び映像信号）をシーケンス番号順に組み立て直し、重複した一方の音声信号（及び映像信号）を破棄することにより、来訪者の音声（送話音声）を示す音声信号を安定かつ確実に親機通話部５０１へ送出する（、及び玄関子機４の映像撮像部４０２にて撮像された映像を示す映像信号を表示部５０２に安定かつ確実に送出する）ことができ、ゆえに、信頼性の高い来訪者や住戸玄関の映像を表示部５０２に出画させた状態で、来訪者の音声（送話音声）が信頼性の高い受話音として親機通話部５０１から出力されることになる。
【００６４】
また、前述のような通話の成立中において、居住者が居室親機５の親機操作部５００にて所定の終話操作を行うと、この操作を検出した制御部５０５の制御により前述の通話ラインが遮断され、通話を終了させることができる。
【００６５】
前述までの説明から明らかなように、本発明の第３の実施例によるインターホンシステムにおいては、玄関子機４からの呼び出しを、当該玄関子機との間で無線通信を行う居室親機５にて報知し、当該呼び出しに応答した居住者が来訪者との間で通話を成立させるにあたり、無線通信が可能な玄関子機４及び居室親機５の間において送受信されるデータ信号として、呼出信号、映像信号及び音声信号の信頼性が高められ、安定かつ確実な無線通信を行うことができる。
【００６６】
なお、本発明の第３の実施例によるインターホンシステムにおいては、玄関子機４及び居室親機５の間で安定かつ確実な無線通信を行うにあたり信頼性が高められるデータ信号として、玄関子機１の子機操作部４００の操作を検出して来訪者による呼び出しを示す呼出信号、来訪者により子機通話部４０１に入力された通話を成立させるための音声信号、映像撮像部４０２にて撮像された映像を示す映像信号と、居住者により居室親機５の親機通話部５０１に入力された通話を成立させるための音声信号とを適用したが、この態様に限定されるものではない。例えば、玄関子機４の子機送信部４０３から居室親機５の親機受信部５０４へ無線送信されるデータ信号である呼出信号、映像信号及び音声信号にのみ当該第３の実施例における信号処理を行うこともできる。
【００６７】
また、本発明の第３の実施例によるインターホンシステムにおいては、住戸玄関に設置される当該玄関子機として、映像撮像部４０２を有する玄関子機４を適用したが、この態様に限定されるものではない。例えば、映像撮像部４０２が不備とされる呼び出し・通話機能のみを有する当該玄関子機を適用することもできる。
【００６８】
さらに、本発明の第３の実施例によるインターホンシステムにおいては、当該システムを戸建住宅に設置する態様について説明したが、この態様に限定されるものではない。例えば、マンション等の集合住宅に適用することもでき、この態様においては、玄関子機４を集合玄関に集合玄関機として設置し、集合玄関機（玄関子機４）及び居室親機５の両機器と無線通信が可能な制御機が設けられる。
【００６９】
最後に、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００７０】
【図１】本発明の第１の実施例によるインターホンシステム（であるナースコールシステム）の具体的な構成を示すブロック図。
【図２】本発明の第２の実施例によるインターホンシステム（であるナースコールシステム）の具体的な構成を示すブロック図。
【図３】本発明の第３の実施例によるインターホンシステムの具体的な構成を示すブロック図。
【符号の説明】
【００７１】
１ａ、１ｂ、・・・１ｎ、１ａ、１ｂ、・・・１ｎ、・・・ ……ベッド子機
１０２……子機送信部
２ａ、２ａ、・・・、２ｂ、２ｂ、・・・……廊下灯
２００、２０６……子機側廊下灯受信部（廊下灯受信部）
２０７……親機側廊下灯送信部（廊下灯送信部）
３ａ、３ｂ……ナースコール親機
３０６……親機受信部
Ｌ……伝送線
４……玄関子機
４０３……子機送信部
５……居室親機
５０４……親機受信部
【図１】
2009135680.tif 000003
【図２】
2009135680.tif 000004
【図３】
2009135680.tif 000005